(57)【要約】【課題】画像形成装置に外部装置を接続する画像形成システムで、ＯＥＭやサードパーティによって提供される外部装置が接続された場合にも、機械構成図を容易に変更して装置構成の変更に適合して表示できるようにする。【解決手段】用紙に画像を印刷して出力するプリンター部と、表示と操作入力を行うための操作表示部と、前記プリンタ部および前記操作表示部を制御する制御部と、を備え、前記制御部は、当該装置と外部装置とが接続して構成される画像形成システムの機械構成図を示す、予め用意された画像データーに基づいて前記機械構成図を前記操作表示部に表示可能にするとともに、前記機械構成図を、画像のスキャナーやジョブ入力、外部メモリーからの転送などによって取得される入力画像データーによって変更して表示することを可能にする。【選択図】図１４
2014004697.tif 000002
【特許請求の範囲】
【請求項１】
用紙に画像を印刷して出力するプリンター部と、
表示と操作入力を行うための操作表示部と、
前記プリンタ部および前記操作表示部を制御する制御部と、を備え、
前記制御部は、当該装置と外部装置とが接続して構成される画像形成システムの機械構成図を示す、予め用意された画像データーに基づいて前記機械構成図を前記操作表示部に表示可能にするとともに、前記機械構成図を入力画像データーによって変更して表示することを可能にすることを特徴とする画像形成装置。
【請求項２】
前記入力画像データーは、外部から当該装置にデーター転送されたものであることを特徴とする請求項１記載の画像形成装置。
【請求項３】
前記入力画像データーは、ジョブに関連付けられたデーターであることを特徴とする請求項１または２に記載の画像形成装置。
【請求項４】
前記ジョブが、画像読取部で読み取られて入力されたもの、または外部から入力された印刷ジョブであることを特徴とする請求項３記載の画像形成装置。
【請求項５】
前記制御部は、前記入力画像データーを、外部からのデーター転送とジョブ入力のいずれかを選択して取得可能であることを特徴とする請求項１〜４のいずれか１項に記載の画像形成装置。
【請求項６】
前記制御部は、前記画像形成システムを構成する各装置に対応する、機械構成図の部分図を独立して変更可能にすることを特徴とする請求項１〜５のいずれか１項に記載の画像形成装置。
【請求項７】
前記入力画像データーが、前記画像形成システムを構成する各装置に対応する、機械構成図の部分図を示すものであることを特徴とする請求項６に記載の画像形成装置。
【請求項８】
前記制御部は、前記画像形成システムを構成する各装置に対応する、機械構成図の部分図を前記入力画像データーによる画像で差し替え可能にすることを特徴とする請求項７記載の画像形成装置。
【請求項９】
前記制御部は、前記操作表示部を通して前記入力画像データーによる画像の編集を可能にすることを特徴とする請求項１〜８のいずれか１項に記載の画像形成装置。
【請求項１０】
前記制御部は、前記入力画像データーによる画像の領域、サイズ、色のいずれかの編集を可能にすることを特徴とする請求項１〜９のいずれか１項に記載の画像形成装置。
【請求項１１】
前記制御部は、前記変更を前記操作表示部を通して行うことを可能にすることを特徴とする請求項１〜１０のいずれかに記載の画像形成装置。
【請求項１２】
前記制御部は、入力画像データーによって変更された前記機械構成図に対し、前記操作表示部を通して、ＪＡＭエラー種別と関連付けたＪＡＭ位置の設定を可能にすることを特徴とする請求項１〜１１のいずれか１項に記載の画像形成装置。
【請求項１３】
機械構成図に関わる画像データーを不揮発に記憶する記憶部を備えることを特徴とする請求項１〜１２のいずれか１項に記載の画像形成装置。
【請求項１４】
前記画像データーは、当該画像形成装置または前記外部装置に関連付けて前記記憶部に記憶されることを特徴とする請求項１３記載の画像形成装置。
【発明の詳細な説明】
【技術分野】
【０００１】
この発明は、用紙に画像を印刷して出力する画像形成装置に関するものであり、特に外部装置に接続して画像形成システムを構成する画像形成装置に関する。
【背景技術】
【０００２】
用紙に画像を印刷して出力する画像形成装置では、給紙トレイから給紙する用紙を装置内で搬送して画像形成部で画像を印刷し、その後、装置内で搬送して排紙したり、後処理装置などの外部装置に搬送したりする。また、搬送は、画像形成装置に接続された外部装置でもなされる。この搬送の過程で、用紙の搬送に不具合が生じてＪＡＭすなわち紙詰まりが生じることがある。紙詰まりは、搬送路のあらゆる箇所で発生する可能性がある。このため従来から機械のイラストをＪＡＭ位置と共に操作パネルに表示を行い、操作者に対して視覚的、直感的にＪＡＭ処理を誘導する機能がある。
【０００３】
上記機能で用いる機械のイラストは本体図の他に、既にリリースされている外部装置の図を含めてファームウェアの中にインストールしている。
画像形成システムでは、画像形成装置に接続する外部機器を既にリリースされているものの中から選択してシステムを構築することができる。この際には、装置構成を認識して、その認識に基づいてファームウェア中から必要なイラストを選択して機械のイラストを書き換えている（例えば特許文献１参照）。
また、画像形成装置に表示する画像を編集する機能を有する画像形成装置も提案されているが（特許文献２参照）、上記のような機械のイラストを編集する機能は有していない。
【０００４】
すなわち、従来の画像形成装置では、専らファームウェア中にインストールした図を用いて機械のイラストを表示可能にしており、既にリリースされている外部機器の入れ換え、追加、取り外しを行っても、これに対応してイラスト表示を行うことができるようになっている。
【先行技術文献】
【特許文献】
【０００５】
【特許文献１】特開２００３−１３４４２４号公報
【特許文献２】特開２００５−８３１１号公報
【発明の概要】
【発明が解決しようとする課題】
【０００６】
しかし、画像形成システムでは、ユーザの要望も多様かつ高度になっており、既にリリースされている外部装置のみでなく、後発でリリースされる外部装置を用いたいという場合がある。しかし、このように構成される画像形成システムでは、ファームウェアにインストールされている機械のイラストでは後発の外部装置に対応することができず、標準的なイラストなどを暫定的に用いざるを得ない。この場合、実際の外部装置に対応していないイラストでは、例えばＪＡＭが発生した場合などに正確にＪＡＭ位置を示したりＪＡＭ処理を誘導することができないという問題がある。このため、後発の外部装置に対応したイラストを表示するためには、新しい機械の組み合わせに対応してファームウェアを変更する必要がある。しかし、後発で外部装置がリリースされる毎にそれぞれの画像形成装置のファームウェアを変更すると作業が膨大になり、現実的でないという問題がある。
【０００７】
本願発明は、上記事情を背景としてなされたものであり、ファームウェアの書き換えを行うことなく画像形成システムの機械構成図を変更することができる画像形成装置を提供することを目的とする。
【課題を解決するための手段】
【０００８】
すなわち、本発明の画像形成装置のうち、第１の本発明は、用紙に画像を印刷して出力するプリンター部と、表示と操作入力を行うための操作表示部と、前記プリンター部および前記操作表示部を制御する制御部と、を備え、
前記制御部は、当該装置と外部装置とが接続して構成される画像形成システムの機械構成図を示す、予め用意された該画像データーに基づいて前記機械構成図を前記操作表示部に表示可能にするとともに、前記機械構成図を入力画像データーによって変更して表示することを可能にすることを特徴とする。
【０００９】
上記本発明によれば、入力画像データーを用いて、予め用意されている画像データーに基づく機械構成図を変更することができる。機械構成図の変更は通常一部に対し行われるが、これに限定されることなく機械構成図の全部を変更することもできる。変更は、書き換え、追加などにより行われる。予め用意された画像データーは、例えばファームウェアなどの形で提供されている。
そして、ファームウェアを変更することなく、既存で用意されている外部装置のイラストや後発でリリースされる後処理機などに対しイラストの差し替えが可能となり、ユーザーの意向に応じたイラストを使用できる。
【００１０】
第２の本発明の画像形成装置は、前記第１の本発明において、前記入力画像データーが、外部から当該装置にデーター転送されたものであることを特徴とする。
【００１１】
上記本発明によれば、外部メモリや外部記憶装置などを利用して入力画像データーを取得することができる。また、ネットワークなどを通して画像データーを転送するものであってもよい。
【００１２】
第３の本発明の画像形成装置は、前記第１または第２の本発明において、前記入力画像データーは、ジョブに関連付けられたデーターであることを特徴とする。
【００１３】
上記本発明によれば、ジョブの入力によって入力画像データーを取得することができる。なお、ジョブの入力方法は本発明としては特に限定されるものではない。
【００１４】
第４の本発明の画像形成装置は、前記第３の本発明において、前記ジョブが、画像読取部で読み取られて入力されたもの、または外部から入力された印刷ジョブであることを特徴とする。
【００１５】
上記本発明では、ジョブとしては画像読取部で読み取って入力されたものや外部から導入されたものを用いることができる。
【００１６】
第５の本発明の画像形成装置は、前記第１〜第４の本発明のいずれかにおいて、前記制御部は、前記入力画像データーを、外部からのデーター転送とジョブ入力のいずれかを選択して取得可能であることを特徴とする。
【００１７】
上記本発明によれば、入力画像データーの取得方法を選択することができる。選択は、表示操作部を通して操作者により行うことができる。
【００１８】
第６の本発明の画像形成装置は、前記第１〜第５の本発明のいずれかにおいて、前記制御部は、前記画像形成システムを構成する各装置に対応する、機械構成図の部分図を独立して変更可能にすることを特徴とする。
【００１９】
上記本発明によれば、装置毎に機械構成図の部分図を変更することができ、変更作業が容易になる。
【００２０】
第７の本発明の画像形成装置は、前記第６の本発明において、前記入力画像データーが、前記画像形成システムを構成する各装置に対応する、機械構成図の部分図を示すものであることを特徴とする。
【００２１】
上記本発明によれば、機械構成図の部分図に対応する入力画像データーによって機械構成図の部分図を変更することができる。  
【００２２】
第８の本発明の画像形成装置は、前記第７の本発明において、前記制御部は、前記画像形成システムを構成する各装置に対応する、機械構成図の部分図を前記入力画像データーによる画像で差し替え可能にすることを特徴とする。
【００２３】
上記本発明によれば、機械構成図の部分図に対応する入力画像データーによって機械構成図の部分図を差し替えて変更することができる。
【００２４】
第９の本発明の画像形成装置は、前記第１〜第８の本発明のいずれかにおいて、前記制御部は、前記操作表示部を通して前記入力画像データーによる画像の編集を可能にすることを特徴とする。
【００２５】
上記本発明によれば、入力画像データーによる画像の編集を操作表示部を通して行うことができる。画像の編集は、機械構成図を変更した後に行うことができるが、機械構成図を変更する前に前記画像の編集を行えるようにしてもよい。但し、機械構成図を変更した後に編集を行う方が、機械構成図全体のバランスなどを考慮して当該画像の編集を行うことができる。なお、機械構成図を変更した後に編集を行う場合、入力画像データーによるもの以外の機械構成図の他の部分を合わせて編集できるようにしてもよい。
【００２６】
第１０の本発明の画像形成装置は、前記第１〜第９の本発明のいずれかにおいて、前記制御部は、前記入力画像データーによる画像の領域、サイズ、色のいずれかの編集を可能にすることを特徴とする。
【００２７】
上記本発明によれば、入力画像の編集を少なくとも領域、サイズ、色のいずれかで編集することができる。この際に、入力画像データーによるもの以外の機械構成図の他の部分を上記内容で合わせて編集できるようにしてもよい。例えば、領域の編集では、入力画像以外の部分を含めた領域指定を行うことができる。
【００２８】
第１１の本発明の画像形成装置は、前記第１〜第１０の本発明のいずれかにおいて、前記制御部は、前記変更を前記操作表示部を通して行うことを可能にすることを特徴とする。
【００２９】
上記本発明によれば、入力画像による機械構成図の変更を操作表示部を通して行うことができる。なお、入力画像の取得に伴って、操作表示部の操作を通すことなく機械構成図が変更されるようにしてもよい。
【００３０】
第１２の本発明の画像形成装置は、前記第１〜第１１の本発明のいずれかにおいて、前記制御部は、入力画像データーによって変更された前記機械構成図に対し、前記操作表示部を通して、ＪＡＭエラー種別と関連付けたＪＡＭ位置の設定を可能にすることを特徴とする。
【００３１】
上記本発明によれば、入力画像データーによって変更された機構構成図においてＪＡＭ位置の設定を行うことができ、装置に合わせた適正なＪＡＭ位置表示や誘導を行うことができる。また、ファームウェアの変更をせずに機械構成図を刷新する機能とＪＡＭ位置などの機械固有の情報をリンクしてデーター管理することができる。また、後発リリースの後処理装置などに対してもＪＡＭエラー種別に対してＪＡＭ位置も設定することが可能である。
【００３２】
第１３の本発明の画像形成装置は、前記第１〜第１２の本発明のいずれかにおいて、機械構成図に関わる画像データーを不揮発に記憶する記憶部を備えることを特徴とする。
【００３３】
上記本発明によれば、予め保持されている機械構成図の画像データーや、入力画像データーを不揮発の記憶部に記憶して適宜読み出して利用することができる。なお、機械構成図の画像データーと入力画像データーとを異なるデバイスに記憶するものであってもよい。
【００３４】
第１４の本発明の画像形成装置は、前記第１３の本発明において、前記画像データーは、当該画像形成装置または前記外部装置に関連付けて前記記憶部に記憶されることを特徴とする。
【００３５】
上記本発明によれば、装置構成に応じて機械構成図を適正に表示することができる。
【発明の効果】
【００３６】
以上説明したように本発明によれば、予め保持されている機械構成図をその後、入力される入力画像データーにより変更することができ、後にリリースされた外部装置においても機械構成図をこれに合わせて容易に変更でき、ファームウェアの更新が不要になる。
例えばＯＥＭ提供で、ユーザーにて所望のイラスト変更の要望や、サードベンダーによる後処理機接続などに対応して機械構成図を容易に変更することができる。
【図面の簡単な説明】
【００３７】
【図１】本発明の一実施形態における画像形成装置を含む画像形成システムの全体図を示す。
【図２】同じく、画像形成装置の全体ブロック図を示す。
【図３】同じく、機械イラスト差し替えモード設定画面例である。
【図４】同じく、対象ユニットの選択画面例である。
【図５】同じく、機械イラストの差し替え用のジョブ選択画面例である。
【図６】同じく、機械イラスト差し替え画面例である。
【図７】同じく、機械イラストの差し替えに用いる画像データの入力方法の選択画面例である。
【図８】同じく、入力方法として選択されたジョブ選択画面例である。
【図９】同じく、差し替え用イラストの指定位置調整画面の例である。
【図１０】同じく、差し替え用イラストのサイズ変更画面の例である。
【図１１】同じく、変更された機械イラストにおけるＪＡＭ位置設定画面の例である。
【図１２】同じく、機械状態表示におけるフローチャートである。
【図１３】同じく、外観イラスト表示の手順を示すフローチャートである。
【図１４】同じく、イラスト変更の手順を示すフローチャートである。
【図１５】同じく、ジャム発生時の処理手順を示すフローチャートである。
【発明を実施するための形態】
【００３８】
以下に、本発明の一実施形態を添付図面に基づいて説明する。
図１は、画像形成システム全体の中央断面図であり、機械的な構成を示している。以下に、その構成を説明する。
画像形成ステム１は、画像形成装置１ａの前段側に大容量給紙トレイ１６１が接続され、画像形成装置１ａの後段側に後処理装置（ＦＮＳ）１８０が接続されたものである。この実施形態では、大容量給紙トレイ１６１、後処理装置（ＦＮＳ）１８０が本発明の外部装置に相当する。画像形成システム１では、各装置間で用紙の搬送が可能になっているとともに、互いに通信可能になっている。
【００３９】
画像形成装置１ａでは、その上部側に、ＣＣＤ１３１を含むスキャナー部１３０、流し込みｔｙｐｅ自動原稿給送装置（ＡＤＦ）１３５が設けられており、プラテンガラス１３７またはＡＤＦ原稿読み取り用スリットガラス１３８を通して原稿の画像読取が可能になっている。
上記したスキャナー部１３０、流し込みｔｙｐｅ自動原稿給送装置（ＡＤＦ）１３５、プラテンガラス１３７、ＡＤＦ原稿読み取り用スリットガラス１３８などにより、画像読込部が構成されている。
また、画像形成装置１ａの上部側で、プラテンガラス１３７が位置しない箇所に、タッチパネルからなる操作部１４０（図２示）が設けられて、操作者による操作および情報の表示が可能になっている。操作部１４０は、操作部を構成するとともに本発明の表示部を兼用している。なお、本発明としては、操作部と表示部とを別体で構成することも可能である。
【００４０】
画像形成装置１ａの下部側には、複数の給紙トレイ（１〜３）１６０（図では３段）が配置され、さらに画像形成装置１ａに付設するようにして、給紙トレイを有する大容量給紙ユニット１６１が配置されている。
画像形成装置１ａ内には、いずれかの給紙トレイから給紙される用紙を搬送する搬送路、第二給紙ローラー１６２などが設けられており、画像形成装置１ａ内の搬送路途中に、帯電器１５２、ＬＤ１５３、感光体１５４、現像器１５５、転写部１５６、定着器１５７などで構成される画像形成部１５１が設けられている。また、大容量給紙ユニット１６１にはそれぞれ給紙された用紙を搬送して画像形成装置１ａ内に導入する搬送路（図示しない）が設けられている。さらに、後処理装置（ＦＮＳ）１８０では、画像が印刷された用紙を搬送して後処理を行うことなく、または後処理を行って排紙をする排紙路を有している。
上記画像形成部１５１、給紙トレイ（１−３）１６０、大容量給紙ユニット１６１、搬送路、第二給紙ローラー１６２などによって、本発明のプリンター部１５０が構成されている。
【００４１】
画像形成部１５１では、帯電器１５２、現像器１５５、転写部１５６は、感光体１５４の周囲に配置されている。帯電器１５２は、画像書込み前に感光体１５４の表面を一様に帯電する。ＬＤ１５３は、表面が一様に帯電された感光体１５４に半導体レーザを照射することにより感光体１５４に静電潜像を形成する。現像器１５５は、ＬＤ１５３によって感光体１５４に形成された静電潜像をトナー部材によって現像する。この現像処理によって感光体１５４にトナー画像が形成される。転写部１５６は、給紙トレイ（１−３）６０や大容量給紙トレイ１６１から搬送されてきた用紙に感光体１５４のトナー画像を転写する。トナー画像が転写された用紙は、感光体１５４から分離されて定着器１５７に搬送される。感光体１５４に残留したトナー部材は、クリーニング部によって除去される。
【００４２】
定着器１５７は、搬送された用紙を加熱することにより用紙の表面側に転写されたトナー画像を定着する。定着処理が施された用紙は、片面印刷の場合には画像形成装置１ａの側方に位置する後処理装置（ＦＮＳ）１８０にそのまま搬送される。
後処理装置（ＦＮＳ）１８０では、ステイプル、パンチ、中折りなどの後処理などが行われる。後処理装置（ＦＮＳ）１８０には、第１排紙口１８２、第２排紙口１８３が設けられており、いずれかが選択されて排紙される。一方、両面印刷の場合には、定着後の用紙がスイッチバックされて当該用紙の裏面側に画像形成部１５１で所定の画像が転写される。そして、両面に画像が形成された用紙は定着後に後処理装置（ＦＮＳ）１８０に搬送される。
上記の画像形成システム１は、画像形成装置１ａと、大容量給紙トレイ１６１と、後処理装置（ＦＮＳ）１８０で構成されているが、本発明としては画像形成システムを構成する装置は、画像形成装置の他にはその数や種別が特に限定されるものではなく、複数の後処理装置を備えるものであってもよく、その他に、中継装置、スタック装置などの各種の外部装置を接続することができる。
【００４３】
次に、図２に基づいて本発明の画像形成装置の電気的な構成を示すブロック図を説明する。
画像形成装置１ａは、主要な構成として、画像制御部１１０とスキャナー部１３０と操作部１４０とプリンター部１５０とを有するデジタルコピア本体と、ＬＡＮを通して端末Ａ（ＰＣ）、端末Ｂ（ＰＣ）との間で入出力される画像データーを処理する画像処理手段（プリント＆スキャナーコントローラー）１７０とを備えている。
【００４４】
画像制御部１１０は、ＰＣＩバス１１２を有しており、ＰＣＩバス１１２は画像制御部１１０内でＤＲＡＭ制御ＩＣ１１１に接続されている。また、画像制御部１１０には、画像制御ＣＰＵ１１３を備えており、該画像制御ＣＰＵ１１３に前記ＤＲＡＭ制御ＩＣ１１１が接続されている。また、画像制御ＣＰＵ１１３には、不揮発メモリー１１５が接続されている。該不揮発メモリー１１５には、上記画像制御ＣＰＵ１１３を動作させるためのプログラムや画像形成装置１ａの設定データー、プロセス制御パラメーター、画像形成システム１の機械構成図用の画像データーなどが予め格納されている。機械構成図用の画像データーは、必要に応じて画像制御ＣＰＵ１１３によって読み出され、操作部１４０の画面に表示することができる。したがって、不揮発メモリー１１５は、本発明における不揮発の記憶部として機能する。
【００４５】
画像制御ＣＰＵ１１３は、画像形成装置１ａの全体を制御し、また画像形成装置１ａ全体の状態把握を行うものであり、用紙の搬送制御、画像形成制御、操作表示制御などを行う。すなわち、画像制御ＣＰＵ１１３は、本発明の制御部として機能する。
例えば操作部１４０からの指示により、トレイ選択／後処理モード設定／各種画像形成条件設定をプリンター部１５０に通知し、プリントを指示する。
【００４６】
また、画像制御ＣＰＵ１１３には、ＩＯ部１１９が接続されている。ＩＯ部１１９は、画像形成装置１ａ内の各部との間で情報の授受を行うインターフェースとして動作する。例えば、搬送路に設けられた複数の通紙センサの検知結果が画像制御ＣＰＵ１１１３に送信される。画像制御ＣＰＵ１１３では、用紙搬送中に通紙センサで用紙が所定時間検知されないと、ＪＡＭ発生と、検知されない通紙センサの位置に基づいてＪＡＭ発生位置とを判定することができる。
【００４７】
前記スキャナー部１３０は、光学読み取りを行うＣＣＤ１３１と、スキャナー部１３０全体の制御を行うスキャナー制御部１３２とを備えている。スキャナー制御部１３２は、画像制御ＣＰＵ１１３とシリアル通信可能に接続されており、画像制御ＣＰＵ１１３による制御を受ける。なお、スキャナー制御部１３２は、ＣＰＵやこれを動作させるプログラムなどによって構成することができる。前記ＣＣＤ１３１で読み取った画像データーは、読み取り処理部１１６でデーター処理がなされる。読み取り処理部１１６には、画像データーを圧縮する圧縮ＩＣ１１７が接続されており、該圧縮ＩＣ１１７は、前記したＤＲＡＭ制御ＩＣ１１１に接続されている。
【００４８】
前記操作部１４０は、タッチパネル式のＬＣＤ１４１と、操作部制御部１４２とを備えており、上記ＬＣＤ１４１と操作部制御部１４２とが接続され、該操作部制御部１４２と前記画像制御ＣＰＵ１１３とがシリアル通信可能に接続されている。該構成によって操作部１４０の制御が画像制御ＣＰＵ１１３によって行われる。なお、操作部制御部１４２は、ＣＰＵやこれを動作させるプログラムなどによって構成することができる。操作部１４０では、画像形成装置１ａにおける設定や動作指令などの動作制御条件の入力が可能となっており、さらに設定内容、機械状態、情報の表示等が可能になっており、上記画像制御ＣＰＵ１１３により制御される。この操作部１４０によって、所定の操作や表示などを行うことができる。例えば、操作部１４０からの指示に従って、使用するトレイ選択／ステープルやパンチ等の後処理モード設定／各種画像形成条件設定を画像制御ＣＰＵ１１３に指示するとともに、画像制御ＣＰＵ１１３からの指示に基づき設定内容をＬＣＤ１４１に表示する。
【００４９】
また、ＤＲＡＭ制御ＩＣ１１１は、圧縮メモリー１２１とページメモリー１２２とからなる画像メモリー１２０に接続されている。該画像メモリー１２０には、前記スキャナー部１３０で取得した画像データーやＬＡＮ３を通して取得したジョブに関連付けられた画像データーが格納される。上記のように画像メモリー１２０は、画像データーの記憶領域であり、印刷するジョブの画像データーを格納する。また、上記ＤＲＡＭ制御ＩＣ１１１によって複数のジョブに関する画像データーを画像メモリー１２０に記憶させることができる。すなわち、画像メモリー１２０には予約されたジョブの画像データーの格納も可能である。
【００５０】
さらにＤＲＡＭ制御ＩＣ１１１には、圧縮された画像データーを伸長する伸長ＩＣ１２５が接続されており、該伸長ＩＣ１２５には書き込み処理部１２６が接続されている。該書き込み処理部１２６は、プリンター部１５０のＬＤ１５３に接続され、該ＬＤ１５３の動作に用いられるデーターの処理を行う。また、プリンター部１５０は、プリンター部１５０の全体を制御するプリンター制御部１５９を備えており、該プリンター制御部１５９は、前記した画像制御ＣＰＵ１１３に接続されて制御を受ける。すなわち、画像制御ＩＣ１１３から与えられるパラメーターに従い、プリント動作の開始／停止を行う。プリンター部１５０には、前記した給紙トレイ（１−３）１６０、画像形成部１５１、第二給紙ローラー１６２、搬送路などが含まれており、画像制御ＣＰＵ１１３によってその動作の制御がなされる。
【００５１】
さらに、ＤＲＡＭ制御ＩＣ１１１には、ＬＡＮインターフェース１１８が接続されており、該ＬＡＮインターフェース１１８は、ＬＡＮ３に接続されている。これにより外部の端末Ａ（ＰＣ）や端末Ｂ（ＰＣ）から画像データーを受信することができる。
【００５２】
また、前記ＤＲＡＭ制御ＩＣ１１１に接続された前記ＰＣＩバス１１２には、前記した画像処理手段（プリント＆スキャナーコントローラー）１７０のＤＲＡＭ制御ＩＣ１７１が接続されている。画像処理手段（プリント＆スキャナーコントローラー）１７０では、ＤＲＡＭ制御ＩＣ１７１に画像メモリー１７２が接続されている。また、画像処理手段（プリント＆スキャナーコントローラー）１７０では、前記ＤＲＡＭ制御ＩＣ１７１にコントローラー制御ＣＰＵ１７３が接続されており、ＤＲＡＭ制御ＩＣ１７１にＬＡＮインターフェース１７５が接続されている。ＬＡＮインターフェース１７５は、前記ＬＡＮ３に接続されている。
【００５３】
次に、上記画像形成装置１ａの基本的動作について説明する。
先ず、画像形成装置１ａにおいて画像データーを蓄積する手順について説明する。
スキャナー部１３０で原稿の画像を読み取り画像データーを生成する場合、スキャナー部１３０において原稿からＣＣＤ１３１により原稿の画像を光学的に読み取る。この際には、画像制御ＣＰＵ１１３から指令を受けるスキャナー制御部１３２によってＣＣＤ１３１の動作制御を行う。ＣＣＤ１３１で読み取られた画像は、読み取り処理部１１６でデーター処理がなされ、データー処理された画像データーは、圧縮ＩＣ１１７において所定の方法によって圧縮され、ＤＲＡＭ制御ＩＣ１１１を介して圧縮メモリー１２１に格納される。圧縮メモリー１２１に格納された画像データーは、画像制御ＣＰＵ１１３によってジョブとして管理することができる。
【００５４】
画像データーを外部から取得する場合、例えば、端末Ａ（ＰＣ）や端末Ｂ（ＰＣ）からＬＡＮ３を通して送信される印刷ジョブデータは、ＬＡＮインターフェース１７５を介して送信され、ＤＲＡＭ制御ＩＣ１７１により画像データーを得た後、画像メモリー１７２に格納される。画像メモリー１７２のデーターは、ＤＲＡＭ制御ＩＣ１７１、ＰＣＩバス１１２、ＤＲＡＭ制御ＩＣ１１１を介してページメモリー１２２に一旦格納される。ページメモリー１２２に格納されたデーターは、ＤＲＡＭ制御ＩＣ１１１を介して圧縮ＩＣ１１７に順次送られて圧縮処理され、ＤＲＡＭ制御ＩＣ１１１を介して圧縮メモリー１２１に格納され、上記と同様に画像制御ＣＰＵ１１３による管理がなされる。
また、端末Ａ（ＰＣ）や端末Ｂ（ＰＣ）からＬＡＮ３を通して転送される画像データーは、ＬＡＮ３、ＬＡＮインターフェース１１８を通してＤＲＡＭ制御ＩＣ１１１に入力され、さらに、上記と同様にして圧縮メモリー１２１に格納され、画像制御ＣＰＵ１１３による管理がなされる。
また、画像データーは、画像形成装置１ａに一時的に接続した外部メモリーやデバイスに格納されているものを転送して上記と同様にして圧縮メモリー１２１に格納するものであってもよい。
【００５５】
なお、機械構成図用の入力画像データーを、上記読み込みや画像データーの転送、印刷ジョブの入力により得た場合、一旦画像メモリー１２０に格納した後、機械構成図に使用する状態では、画像制御ＣＰＵ１１３の指示によって不揮発メモリー１１５に格納する。
【００５６】
画像形成装置１ａで画像出力を行う場合、すなわち複写機やプリンターとして使用する場合、圧縮メモリー１２１に格納された画像データーをＤＲＡＭ制御ＩＣ１１１を介して伸長ＩＣ１２５に送出してデーターを伸長し、伸長したデーターを書き込み処理部１２６に送出し、ＬＤ１５３において感光体１５４への書き込みを行う。
【００５７】
また、プリンター部１５０では、画像制御ＣＰＵ１１３の指令を受けたプリンター制御部１５９によって各部の制御が行われる。すなわち、画像制御ＣＰＵ１１３から指示された画像形成条件や後処理モードに基づいて、印刷および後処理を行う。
具体的には、画像形成部１５１では感光体１５４に書き込まれたトナー像が転写部１５４において、給紙トレイ（１−３）１６０や大容量給紙トレイ１６１から供給される用紙に転写され、定着装置１５７で定着がなされる。画像形成がなされた用紙は、搬送路を経て後処理装置（ＦＮＳ部）１８０へと搬送され、後処理の指定がある場合には後処理がなされ、後処理が不要の場合、そのまま第１排紙口１８２や第２排紙口１８３から排紙される。複数の予約ジョブがある場合、上記画像出力が設定順番に従って順次行われる。
また、感光体１５４では、転写部１５６でトナー像が用紙に転写された後、図示しないクリーニング部によって残留トナーが除去される。
【００５８】
次に、画像形成システムの機械構成図を変更するためのメニュー画面について説明する。
図３は、操作部１４０のＬＣＤ１４１に表示された操作画面カスタマイズ設定メニュー画面１４００を示すものである。
操作画面カスタマイズ設定メニュー画面１４００は、メニュー画面で操作画面カスタマイズ設定画面釦１４０１を押釦することによって表示される。操作画面カスタマイズ設定メニュー画面１４００では、各種の操作画面を設定することが可能であり、機械イラスト差し替え釦１４０２を押釦することで画像形成システムの機械構成図の一部を入力画像データの画像で差し替えるメニュー画面に遷移する。
【００５９】
操作画面カスタマイズ設定メニュー画面１４００では、終了釦１４０３を押釦することで設定事項が確定し、登録される。また、閉じる釦１４０４が押釦されると、設定内容がキャンセルされて親画面であるメニュー画面に戻る。
入力画像データーによる画像で機械構成図を差し替え変更すると、変更された機械構成図が各装置に対応して不揮発メモリー１１５に読み出し可能に格納される。なお、この際に、変更前の機械構成図の画像データを合わせて格納しておいてもよい。
【００６０】
図４は、操作画面カスタマイズ設定メニュー画面１４００で機械イラスト差し替え釦１４０２が押釦されて表示される操作画面カスタマイズ設定（機械イラスト差し替え）画面１４１０を示すものである。
操作画面カスタマイズ設定（機械イラスト差し替え）画面１４１０では、中央の表示領域で画像形成システム１の機械構成図１４１１が画面表示される。この際に、機械構成図１４１１は、画像形成システム１を構成する各装置に応じて部分図が独立して表示され、かつ部分図毎に選択操作することが可能になっている。選択操作は、該当する部分図の領域を押釦することによって行うことができる。この例では、各装置に応じた部分図１４１１ａ、１４１１ｂ、１４１１ｃ、１４１１ｄ、１４１１ｅの選択が可能であり、部分図１４１１ｄが選択されて枠表示がされた状態を示している。各部分図は、画像制御ＣＰＵ１１３で認識されている装置構成に応じて各装置のイラストが読み出され、接続順序などに応じて画像形成システム１全体のイラストが表示されている。なお、本発明としては、機械構成図は、各装置毎に独立することなく表示されているものであってもよい。
【００６１】
操作画面カスタマイズ設定（機械イラスト差し替え）画面１４１０には、画面の下部右側の表示領域でＯＫ釦１４１２とキャンセル釦１４１３がそれぞれ押釦可能に表示されている。ＯＫ釦１４１２が押釦されると、機械構成図の変更が保持された状態で操作画面カスタマイズ設定メニュー画面１４００に戻り、キャンセル釦１４１３が押釦されると、機械構成図の変更が保持された状態で操作画面カスタマイズ設定メニュー画面１４００に戻る。
また、操作画面カスタマイズ設定（機械イラスト差し替え）画面１４１０の左側上部の表示領域には、選択を促す表示１４１５が表示されている。
【００６２】
図５は、操作画面カスタマイズ設定（機械イラスト差し替え）画面１４１０で選択された装置の部分図に対応する入力画像データを取得するための機械イラスト差し替え用ジョブ選択画面１４２０を示すものである。当該ジョブは、画像読取部による画像の読み取りや印刷ジョブの入力によって提供される。
機械イラスト差し替え用ジョブ選択画面１４２０では、画面中央から右側に掛けてジョブリスト１４２１が選択操作可能に表示されている。ジョブリスト１４２１の各ジョブに対応する表示部分を押釦すると、当該ジョブが選択されて機械イラスト差し替え用ジョブ選択画面１４２０の左側の表示領域にジョブの設定内容を示すジョブ内容表示欄１４２２と、ジョブに関連付けられている画面を示す画像表示部１４２３とが表示される。
なお、複数のジョブがジョブリスト１４２１に表示されている場合には、他のジョブに変更するときは、変更するジョブに対応する表示部分を押釦することでジョブの選択が変更される。
【００６３】
選択されたジョブの画像を入力画像として機械構成図を変更する場合、機械イラスト差し替え用ジョブ選択画面１４２０の右下側の表示領域に押釦可能に表示されているＯＫ釦１４２５を押釦することでジョブ選択が仮に決定される。キャンセル釦１４２６を押釦すると、ジョブの選択が解除される。
ＯＫ釦１４２５またはキャンセル釦１４２６を押釦すると、イラスト差し替えが反映された操作画面カスタマイズ設定（機械イラスト差し替え）画面１４３０に遷移する。
【００６４】
図６に示す操作画面カスタマイズ設定（機械イラスト差し替え）画面１４３０では、ジョブの選択が仮決定されていると、該当する装置の部分図は、選択されてジョブに関連付けられている画像に入れ替わり、機械構成図１４３１が表示される。機械構成図１４３１は、変更した部分図１４１１ｄ以外の他の部分図では、その前の部分図１４１１ａ、１４１１ｂ、１４１１ｃ、１４１１ｅが使用され、変更した装置に対応する部分が部分図１４３１ｄに差し替えられている。
この画面で、画面下部右側の領域に表示されているＯＫ釦１４３２が押釦されると、部分図１４３１ｄに差し替えられた機械構成図１４３１が確定し、部分図１４３１ｄに対応する画像データーが外部装置の識別情報と関連付けられて不揮発メモリー１１５に格納される。キャンセル釦１４３３が押釦されると、仮選択された部分図１４３１ｄの選択がキャンセルされる。
ＯＫ釦１４３２またはキャンセル釦１４３３が押釦されると、操作画面カスタマイズ設定メニュー画面１４００に戻る。
【００６５】
なお、上記の例では、機械構成図を変更するための入力画像データの取得を印刷ジョブからのみ取得するものとして説明したが、取得方法を選択できるようにしてもよい。
図７は、画像データの入力方法を選択する入力方法選択メニュー画面１４４０を示すものである。入力方法選択メニュー画面１４４０は、例えば、図３の操作画面カスタマイズ設定メニュー画面１４００で機械イラスト差し替え釦１４０２が押釦されることによって表示されるようにすることができる。
【００６６】
入力方法選択メニュー画面１４４０では、中央の表示領域にジョブデータ選択釦１４４１と外部メモリー選択釦１４４２とが押釦可能に上下に並んで表示されており、いずれかを選択的に押釦することができる。例えばジョブデータ選択釦１４４１を押釦してジョブ入力を選択した後、外部メモリー選択釦１４４２を押釦すると、外部メモリー選択釦１４４２が優先して外部メモリーからの入力に選択が切り替わる。いずれかの選択釦を押釦して、入力方法選択メニュー画面１４４０右下側の表示領域に押釦可能に表示されたＯＫ釦１４４３を押釦することによって入力の選択が確定する。同領域に押釦可能に表示されたキャンセル釦１４４４を押釦することで入力の選択がキャンセルされる。キャンセル釦１４４４が押されると、親画面に戻る。
ＯＫ釦１４４３が押釦されると、選択された入力方法に応じた画面が表示される。
【００６７】
図８は、ジョブデータ選択釦１４４１が押釦され、さらにＯＫ釦１４４３が押釦されて表示される機械イラスト差し替え用ジョブ選択画面１４５０を示すものである。
機械イラスト差し替え用ジョブ選択画面１４５０は、図５の機械イラスト差し替え用ジョブ選択画面１４２０と同様に、ジョブリスト１４５１、ジョブ内容表示欄１４５２、画像表示部１４５３、ＯＫ釦１４５５、キャンセル釦１４５６が表示されている。
操作可能な釦やジョブリスト１４５１を操作した際の処理手順は、図５の機械イラスト差し替え用ジョブ選択画面１４２０と同様である。
【００６８】
次に、図９は、部分図を入れ替えた機械構成図において領域指定を行うための領域指定画面１４６０を示すものである。当該領域指定画面１４６０は、例えば、部分図の入れ替えが行われた図６の操作画面カスタマイズ設定（機械イラスト差し替え）画面１４３０でＯＫ釦１４３２を押釦した際に遷移するようにできる。また、部分図の入れ替えが行われた操作画面カスタマイズ設定（機械イラスト差し替え）画面１４３０で、編集釦を押釦可能に表示し、この編集釦が押釦されたことによって領域指定画面１４６０に遷移するようにしてもよい。
【００６９】
領域指定画面１４６０では、差し替えられた部分図を含む拡大構成図１４６１が表示されている。拡大構成図１４６１では、編集対象となる指定領域１４６２が枠状に表示されている。この領域は、部分図と同じ領域でもよく、また、部分図よりも小さく、さらに部分図よりも大きくてもよい。この例では、指定領域を部分図よりも小さくしてトリミングしている。
【００７０】
領域指定画面１４６０では、画面の右下側の領域に指定位置の微調整を行う位置調整釦１４６３が押釦可能に表示されている。位置調整釦１４６３は上下左右の４つの方向釦からなり、いずれかを押釦すると、方向釦の方向に従って、指定領域１４６２の位置を調整することができる。なお、位置調整に際しては、指定領域１４６２の四隅のいずれかを選択操作した後、位置調整することで、選択した隅の位置が変わって指定領域１４６２の位置が変更されるようになっている。
【００７１】
次に、図１０は、指定領域のサイズ変更を行うサイズ変更画面１４７０を示すものである。当該サイズ変更画面１４７０は、例えば、部分図の入れ替えが行われた図６の操作画面カスタマイズ設定（機械イラスト差し替え）画面１４３０でＯＫ釦１４３２を押釦した際に遷移するようにできる。また、部分図の入れ替えが行われた操作画面カスタマイズ設定（機械イラスト差し替え）画面１４３０で、編集釦を押釦可能に表示し、この編集釦が押釦されたことによってサイズ変更画面１４７０に遷移するようにしてもよい。また、領域指定画面１４６０で領域をした後、ＯＫ釦１４６４を押釦することで遷移するようにしてもよい。
【００７２】
サイズ変更画面１４７０の中央部には、機械構成図１４７１が表示され、差し替えられた部分図の領域１４７２のサイズ変更が可能になっている。サイズ変更画面１４７０の画面の中央下側の領域にサイズの変更を行うサイズ変更釦１４７３が押釦可能に表示されている。サイズ変更釦１４７３は、上下左右の４つの方向釦からなり、いずれかを押釦すると、方向釦の方向に従って、領域１４７２のサイズを調整することができる。領域１４７２のサイズの変更に伴って画像が拡大、縮小される。なお、サイズの変更に際しては、領域１４７２の四隅のいずれかを選択操作した後、サイズ変更することで、選択した隅の位置が変わるように領域１４７２のサイズが変更される。このため選択した隅の対角にある隅が基準位置になる。
サイズ変更画面１４７０の画面右下側にあるＯＫ釦１４７４を押釦するとサイズ変更が確定し、同じく画面右下側にあるキャンセル釦１４７５を押釦すると、それまでの確定前のサイズ変更がキャンセルされる。サイズ変更画面１４７０の左上側の領域には、サイズ変更ができることを表す表示１４７６が示されている。
入力画像の編集については、上記で領域指定とサイズ変更について説明したが、これに限定されるものではなく、色の指定、変更や、画面の修正、部分削除などを行えるようにしてもよい。
【００７３】
次に、図１１は、入力画像データによって変更された機械構成図１４８１にＪＡＭ位置設定を行うＪＡＭ位置設定画面１４８０を示すものである。
ＪＡＭ位置設定画面１４８０では、画面中央の領域に機械構成図１４８１が表示され、変更された部分図１４８２が強調表示されている。部分図１４８２では、ＪＡＭ発生想定位置１４８２ａ、１４８２ｂ、１４８２ｃ、１４８２ｄが設定されており、それぞれのＪＡＭ発生想定位置に対し、ＪＡＭコードの登録が可能になっている。
ＪＡＭ位置設定画面１４８０では、画面右側にテンキー１４８３が押釦可能に表示されており、その左側の領域にテンキー１４８３で入力された数値を示すＪＡＭコード表示部１４８４が設けられている。画面左下側には、ＪＡＭ位置設定釦１４８５が押釦可能に表示されている。
【００７４】
ＪＡＭ位置設定釦１４８５が押釦されると、上記したテンキー１４８３およびＪＡＭ発生想定位置１４８２ａ、１４８２ｂ、１４８２ｃ、１４８２ｄが操作可能になる。ＪＡＭ位置設定画面１４８０では、入力手順を示す表示１４８６がなされる。この手順に従って、テンキー１４８３でジャムコードを入力した後、ＪＡＭ発生想定位置１４８２ａ、１４８２ｂ、１４８２ｃ、１４８２ｄのいずれかを押釦すると、当該ジャム発生想定位置に関連付けてジャムコードが設定され、設定データが不揮発メモリー１１５に格納される。
例えば、用紙の搬送中にジャム発生想定位置１４８２ａ、１４８２ｂ、１４８２ｃ、１４８２ｄでＪＡＭが発生したと判定されると、ジャム発生想定位置に対応するジャムコードが不揮発メモリ−１１５から読み出され、ジャムコードに応じた処理がなされる。例えば、用紙を取り除くためにジャム発生想定位置に対応して機械構成図１４８１にジャム発生位置を表示し、さらに、ＪＡＭを解消するための誘導表示（操作手順の表示など）を行う。
【００７５】
次に、機械状態表示で、機械構成図が表示される手順を説明する。なお、以下の表示手順は、画像制御ＣＰＵ１１３の制御によって実行される。
図１２に示すように、機械状態表示において外観イラスト表示の処理がなされ（ステップｓ１）、さらにＪＡＭ位置表示などのその他の表示がなされる（ステップｓ２）。
【００７６】
次に、上記で説明した外観イラスト表示の詳細な手順を図１３のフローチャートに基づいて説明する。
先ず、画像形成装置に接続されて画像形成システムを構成するオプションユニット（本発明の外部装置に相当）を検出する。検出するユニット数はＮである。
ｎ＝１を設定し（ステップｓ１１）、第ｎ番目の接続ユニットのイラストを不揮発メモリー１１５に保持しているかを判定する（ステップｓ１２）。イラスト有りと判定すると（ステップｓ１２、Ｙｅｓ）、イラストを不揮発メモリー１１５から読み出し（ステップｓ１３）、ｎがＮに達しているかを判定する（ステップｓ１５）。一方、ステップｓ１２でイラストがないと判定されると（ステップｓ１２、Ｎｏ）、暫定イラストを不揮発メモリーから読み出し（ステップｓ１４）、ｎがＮに達しているかを判定する（ステップｓ１５）。暫定イラストは、予定されていない外部装置の接続に際し利用できるように予め用意されている。
【００７７】
ｎがＮに達していない場合（ステップｓ１５、Ｎｏ）、ｎに１を加算して（ステップｓ１６）、ステップｓ１２へと戻り、同様の手順を繰り返す。ｎがＮに達している場合（ステップｓ１５、Ｙｅｓ）、各オプションユニットの接続位置、各オプションの外観イラストに基づいて、画像形成システムの外観イラストを作成する（ステップｓ１７）。次いで、操作部１４に装置構成図としてイラスト表示をし（ステップｓ１８）、外観イラスト表示の処理を終了する。
【００７８】
次に、イラスト変更を行う手順を図１４のフローチャートに基づいて説明する。
先ず、既に保持されている画像データーに基づいて外観イラスト表示を行う（ステップｓ２０）。次いで、変更をする対象ユニットを選択する（ステップｓ２１）。例えば、図４に示す操作画面カスタマイズ設定メニュー画面１４００で対象ユニットを選択をすることができる。
対象ユニットの選択後、画像入力方法を選択する（ステップｓ２２）。例えば、図７の入力方法選択メニュー画面１４４０で入力方法を選択することができる。
【００７９】
選択後、入力方法はジョブデータかを判定する（ステップｓ２３）。ジョブデータである場合、図８に示す機械イラスト差し替え用ジョブ選択画面１４５０などにおいてジョブリストを表示し（ステップｓ２４）、操作者の操作に基づくジョブ選択の処理がされ（ステップｓ２５）、入力した画面を編集するかを判定する（ステップｓ２７）。なお、選択した入力方法がジョブデータでない場合、ここでは、他の選択肢は外部メモリーからの取得であるので、外部メモリー内の画像を読み込み（ステップｓ２６）、入力した画面を編集するかを判定する（ステップｓ２７）。
【００８０】
入力した画面の編集処理は、操作者が編集処理の選択を行うことにより開始する。
画面を編集しない場合（ステップｓ２７、Ｎｏ）、直ちに外観イラストを表示する（ステップｓ３２）。ステップｓ３２の処理手順は、図１３の外観イラスト表示の手順と同様である。
画面を編集する場合（ステップｓ２７、Ｙｅｓ）、入力した画面をトリミングするかを判定する（ステップｓ２８）。トリミングは、図９の領域指定画面１４６０において行うことができる。トリミングを行う場合（ステップｓ２８、Ｙｅｓ）、トリミング処理を行い（ステップｓ２９）、次いで入力した画面のサイズを調整するかを判定する（ステップｓ３０）。トリミングを行わない場合、入力した画面のサイズを調整するかを判定する（ステップｓ３０）。画面のサイズ調整を行う場合（ステップｓ３０、Ｙｅｓ）、サイズ調整を行い（ステップｓ３１）、次いで外観イラスト表示を行う（ステップｓ３２）。入力した画面のサイズ調整は、例えば、図１０のサイズ変更画面１４７０で行うことができる。
画面のサイズ調整を行わない場合（ステップｓ３０、Ｎｏ）、外観イラスト表示を行う（ステップｓ３２）。
【００８１】
外観のイラスト表示後、ＪＡＭ位置を設定するかを判定する（ステップｓ３３）。ＪＡＭ位置の設定は例えば図１１のＪＡＭ位置設定画面１４８０によって行う。
ＪＡＭ位置の設定を行う場合（ステップｓ３３、Ｙｅｓ）、ジャムコードを入力し（ステップｓ３４）、ジャム位置の設定がなされ（ステップｓ３５）、ＯＫかの判定がなされる（ステップｓ３６）。ＪＡＭ位置の設定を行わない場合（ステップｓ３３、Ｎｏ）、直ちにＯＫかの判定がなされる（ステップｓ３６）。
ステップｓ３６でＯＫでないと判定される場合（ステップｓ３６、Ｎｏ）、ステップｓ２７に戻り、編集等の処理を繰り返す。一方、ステップｓ３６でＯＫで判定される場合（ステップｓ３６、Ｙｅｓ）、ユニットと関連付けてイラストを登録し、さらにＪＡＭコードに関連付けてイラストに対するＪＡＭ位置を登録し（ステップｓ３７）、手順を終了する。
【００８２】
次に、ＪＡＭが発生した場合の処理手順を図１５のフローチャートに基づいて説明する。
ＪＡＭが発生すると、ＪＡＭコードを受信し（ステップｓ４０）、ＪＡＭ発生ユニットを判別する（ステップｓ４１）。次いで、ＪＡＭコードに関連付けたＪＡＭ位置登録があるかを判定し（ステップｓ４２）、ＪＡＭ登録があれば（ステップｓ４２、Ｙｅｓ）、ＪＡＭ位置を読み出して外観イラストに表示し（ステップｓ４３）、処理を終了する。ＪＡＭ登録がなければ（ステップｓ４２、Ｎｏ）、ＪＡＭ発生ユニット全体をＪＡＭ識別表示し（ステップｓ４４）、処理を終了する。
【００８３】
以上、本発明について上記実施形態に基づいて説明を行ったが、本発明の範囲は上記実施形態の内容に限定されるものではなく、本発明の範囲を逸脱しない限りは適宜の変更が可能である。
【符号の説明】
【００８４】
１    画像形成システム
１ａ  画像形成装置
３    ＬＡＮ
１１３    画像制御ＣＰＵ
１１５    不揮発メモリー
１５１    画像形成部
１３０    スキャナー部
１４０    操作部
１５０    プリンター部
１６１    大容量給紙トレイ１６１
１７０    画像処理手段（プリント＆スキャナーコントローラー）
１８０    後処理装置（ＦＮＳ）
【図１】
2014004697.tif 000003
【図２】
2014004697.tif 000004
【図３】
2014004697.tif 000005
【図４】
2014004697.tif 000006
【図５】
2014004697.tif 000007
【図６】
2014004697.tif 000008
【図７】
2014004697.tif 000009
【図８】
2014004697.tif 000010
【図９】
2014004697.tif 000011
【図１０】
2014004697.tif 000012
【図１１】
2014004697.tif 000013
【図１２】
2014004697.tif 000014
【図１３】
2014004697.tif 000015
【図１４】
2014004697.tif 000016
【図１５】
2014004697.tif 000017